(57)【要約】【課題】電力を無駄に消費してしまうことを防止し、電池寿命を延ばす。【解決手段】無線タグは、送受信装置へアップロードする上りデータの電波送信を１回（または所定回数）行う毎に、送受信装置からダウンロードする下りデータの無線受信を所定時間だけ行う。【効果】送信動作する時間には受信動作せず、受信動作する時間には送信動作しないので、電力を無駄に消費せず、電池の寿命を延ばすことが出来る。【選択図】図６
2005268837.tif 000002
【特許請求の範囲】
【請求項１】
上りデータの無線送信を間欠的に繰り返す間欠発信手段と、前記無線送信を１回または所定回数行う毎に下りデータの無線受信を所定時間行う受信手段と、前記下りデータの内容に応じた処理を行う処理手段と、前記各手段へ電力を供給する電池とを具備したことを特徴とする無線タグ。
【請求項２】
請求項１に記載の無線タグにおいて、前記受信手段は、受信した下りデータの内容に応じて無線受信を行う時間を延長することを特徴とする無線タグ。
【請求項３】
請求項１または請求項２に記載の無線タグにおいて、前記処理手段は、受信した下りデータが全体をｎ（≧２）個に分割した分割データであるときはｎ個の分割データを受信後に一つのデータに合成することを特徴とする無線タグ。
【請求項４】
請求項１から請求項３のいずれかに記載の無線タグにおいて、前記受信手段で受信した下りデータの内容に応じて上りデータの無線送信を行う返信手段を具備したことを特徴とする無線タグ。
【請求項５】
請求項１から請求項４のいずれかに記載の無線タグにおいて、前記受信手段は、受信した下りデータの内容に応じて無線受信を行う時間を短縮することを特徴とする無線タグ。
【請求項６】
請求項１から請求項５のいずれかに記載の無線タグにおいて、前記受信手段で受信した下りデータの内容に応じて報知動作を行う報知手段を具備したことを特徴とする無線タグ。
【請求項７】
請求項１から請求項６のいずれかに記載の無線タグにおいて、前記上りデータに無線タグの識別情報を含むことを特徴とする無線タグ。
【請求項８】
請求項１から請求項７のいずれかに記載の無線タグにおいて、前記下りデータに無線タグの識別情報を含むことを特徴とする無線タグ。
【請求項９】
請求項１から請求項８のいずれかに記載の無線タグにおいて、前記上りデータに対応する電波の周波数と前記下りデータに対応する電波の周波数とが異なることを特徴とする無線タグ。
【請求項１０】
無線タグから無線送信される上りデータを受信する受信手段と、前記上りデータを受信した直後に下りデータを無線送信する送信手段とを具備したことを特徴とする送受信装置。
【請求項１１】
無線タグから無線送信され且つ送信した無線タグの識別情報を含む上りデータを受信する受信手段と、前記上りデータを受信した直後に前記上りデータを送信した無線タグの識別情報を含む下りデータを無線送信する送信手段とを具備したことを特徴とする送受信装置。
【請求項１２】
請求項１０または請求項１１に記載の送受信装置において、前記上りデータに対応する電波の周波数と前記下りデータに対応する電波の周波数とが異なることを特徴とする送受信装置。
【請求項１３】
情報処理装置と、前記情報処理装置にネットワークで接続された複数の送受信装置とを有する管理装置であって、
前記情報処理装置は、前記ネットワークを介して前記送受信装置から送られてきた無線タグの識別情報および当該送受信装置の識別情報を対応させて記憶する記憶手段と、前記記憶手段に識別情報を記憶している無線タグへ送るべきデータを対応する送受信装置へ前記ネットワークを介して送るデータ送付手段とを具備し、
前記各送受信装置は、無線タグから無線送信され且つ当該無線タグの識別情報を含む上りデータを受信する受信手段と、受信した上りデータに含まれる無線タグの識別情報を前記情報処理装置へ前記ネットワークを介して送るデータ送付手段と、受信した上りデータに含まれる無線タグの識別情報および前記情報処理装置から前記ネットワークを介して送られてきたデータを前記無線タグの識別情報と対応させて記憶する記憶手段と、受信した上りデータに含まれる無線タグの識別情報が前記記憶手段に記憶した無線タグの識別情報の一つなら対応して記憶しているデータを下りデータとして無線送信する送信手段とを具備したことを特徴とする管理装置。
【請求項１４】
請求項１３に記載の管理装置において、前記各送受信装置は、前記下りデータに対する返信に相当する上りデータを受信したら前記情報処理装置に前記ネットワークを介して報告することを特徴とする管理装置。
【請求項１５】
請求項１３または請求項１４に記載の管理装置において、前記各送受信装置は、一つのデータをｎ（≧２）個に分割した分割データを一つの下りデータとしてｎ回に分けて無線送信することを特徴とする管理装置。
【請求項１６】
請求項１３から請求項１５のいずれかに記載の管理装置において、前記上りデータに対応する電波の周波数と前記下りデータに対応する電波の周波数とが異なることを特徴とする管理装置。
【発明の詳細な説明】
【技術分野】
【０００１】
本発明は、無線タグ、送受信装置および管理装置に関し、さらに詳しくは、電力を無駄に消費してしまうことを防止し、電池寿命を延ばすことが出来るようにした無線タグ、その無線タグと通信する送受信装置および管理装置に関する。
【背景技術】
【０００２】
従来、送受信装置への上りデータを送信する送信回路と、送受信装置からの下りデータを受信する受信回路と、受信した下りデータに対応した処理を行うための処理回路と、特定の電波を受信する同調回路と、その同調回路で特定の電波を受信すると所定時間だけ電池から電力を送信回路，受信回路および処理回路へ供給するスイッチング回路とを具備した無線タグが知られている（例えば、特許文献１参照。）。
【特許文献１】特開２００１−６０６１号公報（［００２３］）
【発明の開示】
【発明が解決しようとする課題】
【０００３】
上記従来の無線タグにおいて、一定時間（例えば１分間）毎に無線タグから識別情報を含む上りデータを送信させると共に下りデータを受信させようとすれば、一定時間（例えば１分間）毎に送受信装置から特定の電波を発射すればよい。すると、特定の電波を発射してから所定時間は無線タグの電池から送信回路および受信回路に電力が供給されるため、無線タグで上りデータの送信および下りデータの受信を行うことが出来る。
しかし、送信回路と受信回路とに一括して電池から電力を供給しているため、送信回路だけが動作すればよい時間にも受信回路で電力を消費し、受信回路だけが動作すればよい時間にも送信回路で電力を消費することになり、電力を無駄に消費してしまう問題点がある。
そこで、本発明の目的は、電力を無駄に消費してしまうことを防止し、電池寿命を延ばすことが出来るようにした無線タグ、その無線タグと通信する送受信装置および管理装置を提供することにある。
【課題を解決するための手段】
【０００４】
第１の観点では、本発明は、上りデータの無線送信を間欠的に繰り返す間欠発信手段と、前記無線送信を１回または所定回数行う毎に下りデータの無線受信を所定時間行う受信手段と、前記下りデータの内容に応じた処理を行う処理手段と、前記各手段へ電力を供給する電池とを具備したことを特徴とする無線タグを提供する。
上記第１の観点による無線タグでは、上りデータの無線送信を１回または所定回数行う毎に下りデータの無線受信を所定時間行うので、送信手段だけが動作すればよい時間には受信手段は電力を消費せず、受信手段だけが動作すればよい時間には送信回路は電力を消費しないことになり、電力を無駄に消費せず、電池寿命を延ばすことが出来る。
【０００５】
第２の観点では、本発明は、上記構成の無線タグにおいて、前記受信手段は、受信した下りデータの内容に応じて無線受信を行う時間を延長することを特徴とする無線タグを提供する。
上記第２の観点による無線タグでは、無線受信を行う時間を延長する必要があるか否かが判断可能になる最短時間まで所定時間を短く設定しても、所定時間より長い受信時間が必要な長い下りデータに対応できるようになる。
【０００６】
第３の観点では、本発明は、上記構成の無線タグにおいて、前記処理手段は、受信した下りデータが全体をｎ（≧２）個に分割した分割データであるときはｎ個の分割データを受信後に一つのデータに合成することを特徴とする無線タグを提供する。
上記第３の観点による無線タグでは、１個の分割データを受信可能な最短時間まで所定時間を短く設定しても、所定時間では受信できない長い下りデータに対応できるようになる。
【０００７】
第４の観点では、本発明は、上記構成の無線タグにおいて、前記受信手段で受信した下りデータの内容に応じて上りデータの無線送信を行う返信手段を具備したことを特徴とする無線タグを提供する。
上記第４の観点による無線タグでは、無線タグと通信を行う送受信装置や管理装置側で、下りデータが無線タグに受信されたことを確認できるようになる。
【０００８】
第５の観点では、本発明は、上記構成の無線タグにおいて、前記受信手段は、受信した下りデータの内容に応じて無線受信を行う時間を短縮することを特徴とする無線タグを提供する。
上記第５の観点による無線タグでは、所定時間を長く設定しておいても、所定時間より短い時間で受信を打ち切ることが可能になるので、電力を無駄に消費せず、電池寿命を延ばすことが出来る。
【０００９】
第６の観点では、本発明は、上記構成の無線タグにおいて、前記受信手段で受信した下りデータの内容に応じて報知動作を行う報知手段を具備したことを特徴とする無線タグを提供する。
上記第６の観点による無線タグでは、無線タグと通信を行う送受信装置や管理装置側から無線タグを所持する作業者へ合図を送ることが出来る。
【００１０】
第７の観点では、本発明は、上記構成の無線タグにおいて、前記上りデータに無線タグの識別情報を含むことを特徴とする無線タグを提供する。
上記第７の観点による無線タグでは、無線タグと通信を行う送受信装置や管理装置側において、どの無線タグからの上りデータかを判定可能になる。
【００１１】
第８の観点では、本発明は、上記構成の無線タグにおいて、前記下りデータに無線タグの識別情報を含むことを特徴とする無線タグを提供する。
上記第８の観点による無線タグでは、無線タグと通信を行う送受信装置や管理装置からの下りデータが自己宛か否かを無線タグで判定可能になる。
【００１２】
第９の観点では、本発明は、上記構成の無線タグにおいて、前記上りデータに対応する電波の周波数と前記下りデータに対応する電波の周波数とが異なることを特徴とする無線タグを提供する。
上記第９の観点による無線タグでは、複数の無線タグが近接して存在している場合に、他の無線タグから無線送信された上りデータを、送受信装置から無線送信された下りデータと間違えることを確実に防止できる。
【００１３】
第１０の観点では、本発明は、無線タグから無線送信される上りデータを受信する受信手段と、前記上りデータを受信した直後に下りデータを無線送信する送信手段とを具備したことを特徴とする送受信装置を提供する。
上記第１０の観点による送受信装置では、上記構成の無線タグと好適に通信を行うことが出来る。
【００１４】
第１１の観点では、本発明は、無線タグから無線送信され且つ送信した無線タグの識別情報を含む上りデータを受信する受信手段と、前記上りデータを受信した直後に前記上りデータを送信した無線タグの識別情報を含む下りデータを無線送信する送信手段とを具備したことを特徴とする送受信装置を提供する。
上記第１１の観点による送受信装置では、上記構成の無線タグと好適に通信を行うことが出来る。また、複数の無線タグが近接して存在している場合でも、個々の無線タグと好適に通信できる。
【００１５】
第１２の観点では、本発明は、上記構成の送受信装置において、前記上りデータに対応する電波の周波数と前記下りデータに対応する電波の周波数とが異なることを特徴とする送受信装置を提供する。
上記第１２の観点による送受信装置では、複数の無線タグが近接して存在している場合に、無線タグで、他の無線タグから無線送信された上りデータを、送受信装置から無線送信された下りデータと間違えることを防止できる。
【００１６】
第１３の観点では、本発明は、情報処理装置と、前記情報処理装置にネットワークで接続された複数の送受信装置とを有する管理装置であって、前記情報処理装置は、前記ネットワークを介して前記送受信装置から送られてきた無線タグの識別情報および当該送受信装置の識別情報を対応させて記憶する記憶手段と、前記記憶手段に識別情報を記憶している無線タグへ送るべきデータを対応する送受信装置へ前記ネットワークを介して送るデータ送付手段とを具備し、前記各送受信装置は、無線タグから無線送信され且つ当該無線タグの識別情報を含む上りデータを受信する受信手段と、受信した上りデータに含まれる無線タグの識別情報を前記情報処理装置へ前記ネットワークを介して送るデータ送付手段と、受信した上りデータに含まれる無線タグの識別情報および前記情報処理装置から前記ネットワークを介して送られてきたデータを前記無線タグの識別情報と対応させて記憶する記憶手段と、受信した上りデータに含まれる無線タグの識別情報が前記記憶手段に記憶した無線タグの識別情報の一つなら対応して記憶しているデータを下りデータとして無線送信する送信手段とを具備したことを特徴とする管理装置を提供する。
上記第１３の観点による管理装置では、情報処理装置による管理下で、複数の送受信装置により、それら送受信装置の通信エリア毎に分担して、多数の無線タグを管理することが出来る。
【００１７】
第１４の観点では、本発明は、上記構成の管理装置において、前記各送受信装置は、前記下りデータに対する返信に相当する上りデータを受信したら前記情報処理装置に前記ネットワークを介して報告することを特徴とする管理装置を提供する。
上記第１４の観点による管理装置では、情報処理装置において、どの無線タグからの上りデータを受信したかを管理可能になる。
【００１８】
第１５の観点では、本発明は、上記構成の管理装置において、前記各送受信装置は、一つのデータをｎ（≧２）個に分割した分割データを一つの下りデータとしてｎ回に分けて無線送信することを特徴とする管理装置を提供する。
上記第１５の観点による管理装置では、無線タグにおいて１個の分割データを受信可能な最短時間まで所定時間を短く設定しても、所定時間では受信できない長い下りデータを無線タグに送信できるようになる。
【００１９】
第１６の観点では、本発明は、上記構成の管理装置において、前記上りデータに対応する電波の周波数と前記下りデータに対応する電波の周波数とが異なることを特徴とする管理装置を提供する。
上記第１６の観点による送受信装置では、複数の無線タグが近接して存在している場合に、無線タグで、他の無線タグから無線送信された上りデータを、送受信装置から無線送信された下りデータと間違えることを防止できる。
【発明の効果】
【００２０】
本発明の無線タグ，送受信装置および管理装置によれば、送信手段だけが動作すればよい時間には受信手段は電力を消費せず、受信手段だけが動作すればよい時間には送信回路は電力を消費しないことになり、電力を無駄に消費せず、電池寿命を延ばすことが出来る。
【発明を実施するための最良の形態】
【００２１】
以下、図に示す実施例により本発明をさらに詳細に説明する。なお、これにより本発明が限定されるものではない。
【実施例１】
【００２２】
図１は、実施例１にかかる無線タグ１〜６および管理装置１００を示すブロック図である。
管理装置１００は、コンピュータの如き情報処理装置５１と、情報処理装置５１にネットワーク５２で接続された複数の送受信装置３１〜３３とを有する。
【００２３】
図２は、無線タグ１の構成を示すブロック図である。
無線タグ１は、マイクロプロセッサの如き処理部１ｐと、処理部１ｐの制御下で上りデータを電波送信する送信部１ｓと、処理部１ｐの制御下で下りデータを電波受信する受信部１ｒと、処理部１ｐの制御下で無線タグ１の所持者に視覚的または聴覚的に報知する報知部１ｄと、各部に電力を供給するボタン電池１ｂとを具備している。
送信電波の周波数は例えば１ＧＨｚであり、受信電波の周波数は例えば１ＭＨｚである。
なお、無線タグ１を代表として説明するが、他の無線タグ２〜６も無線タグ１と同様の構成である。
【００２４】
図３は、送受信装置３１の構成を示すブロック図である。
送受信装置３１は、マイクロプロセッサの如き制御部３１ｃと、制御部３１ｃの制御下で上りデータを電波受信する受信部３１ｒと、制御部３１ｃの制御下で下りデータを電波送信する送信部３１ｓと、制御部３１ｃがネットワーク５２を介して情報処理装置５１と通信するための回線部３１ｎとを具備している。送受信装置３１への電力は、商用電源から供給される。
受信電波の周波数は例えば１ＧＨｚであり、送信電波の周波数は例えば１ＭＨｚである。
なお、送受信装置３１を代表として説明するが、他の送受信装置３２，３３も送受信装置３１と同様の構成である。
【００２５】
図４は、実施例１に係る無線タグ１の動作を示すフロー図である。この動作は、無線タグ１にボタン電池１ｂをセットすることにより起動される。
【００２６】
ステップＳ１では、前回の上りデータの送信開始から所定の送信周期Ｔ２（図７の(ａ)参照）以上が経過するまで待ってからステップＳ２へ進む（起動時は速やかにステップＳ２へ進む）。
ステップＳ２では、図７の（ａ）に示すように、送信部１ｓを動作状態（オン）にする。
ステップＳ３では、図７の（ｂ）に示すように、上りデータとしてＩＤデータ（無線タグ１の識別のためのデータ）を送信部１ｓから電波送信する。
ステップＳ４では、図７の（ａ）に示すように、送信部１ｓを休止状態（オフ）にする。
ステップＳ５では、図７の（ｃ）に示すように、受信部１ｒを動作状態（オン）にする。
ステップＳ６では、受信タイマで経時を開始する。
【００２７】
ステップＳ７では、受信部１ｒで自己宛の下りデータを受信していないならステップＳ８へ進み、自己宛の下りデータを受信したならステップＳ１０へ進む。なお、自己宛の下りデータか否かは、下りデータの先頭にあるヘッダ部に自己の識別情報が含まれているか否かにより判定する。
ステップＳ８では、受信タイマが所定の受信時間Ｔ３（図７の(ｃ)参照）に達していなければステップＳ７に戻り、受信時間Ｔ３に達したらステップＳ９へ進む。
ステップＳ９では、図７の（ｃ）に示すように、受信部１ｒを休止状態（オフ）にする。そして、ステップＳ１に戻る。
【００２８】
ここで、ステップＳ１〜Ｓ９の動作は、送信周期Ｔ２で上りデータを繰り返し発信し、１回の発信毎に受信時間Ｔ３だけ下りデータを受信可能にする基本動作を表している。なお、発信回数をカウントして、数回の発信毎に受信時間Ｔ３だけ下りデータを受信可能にしてもよい。
【００２９】
ステップＳ１０では、自己宛の下りデータを受信完了するまで受信を続ける。
ステップＳ１１では、受信部１ｒを休止状態（オフ）にする。
【００３０】
ここで、ステップＳ１０，Ｓ１１の動作は、所定の受信時間Ｔ３より短い時間で自己宛の下りデータを受信完了すれば受信時間を短縮し（図７の(ｃ)参照）、所定の受信時間Ｔ３より長い時間で自己宛の下りデータを受信完了すれば受信時間を延長する（図８の(ｃ)参照）動作を表している。
【００３１】
ステップＳ１２では、図７または図８の（ａ）に示すように、送信部１ｓを動作状態（オン）にする。
ステップＳ１３では、図７または図８の（ｂ）に示すように、上りデータとして返信データ（下りデータを受信したことを確認するためのデータ）を送信部１ｓから電波送信する。
ステップＳ１４では、図７または図８の（ａ）に示すように、送信部１ｓを休止状態（オフ）にする。
【００３２】
ステップＳ１９では、受信した下りデータの内容を判定し、報知指令以外ならステップＳ２０ヘ進み、報知指令ならステップＳ２１ヘ進む。
ステップＳ２０では、報知以外の処理を行う。そして、ステップＳ１に戻る。
【００３３】
ステップＳ２１では、報知部１ｄにより報知を行う。例えばＬＥＤを点灯したり、ブザーを鳴らしたり、ＬＣＤにメッセージを表示したりする。そして、ステップＳ１に戻る。
【００３４】
図５は、実施例１に係る送受信装置３１の動作を示すフロー図である。この動作は、送受信装置３１の電源をオンすることにより起動される。
【００３５】
ステップＲ１では、ネットワーク５２を介しての情報処理装置５１との通信を回線部３１ｎで確立する。
【００３６】
ステップＲ２では、無線タグへ送信するべきデータが情報処理装置５１からネットワーク５２を介して送られてきたら、無線タグの識別情報と対応させて該データを記憶する。
ステップＲ３では、受信部３１ｒで上りデータを受信したか判定し、受信したらステップＲ４へ進み、受信していなければステップＲ８へ進む。
【００３７】
ステップＲ４では、受信した上りデータを送信してきた無線タグへ送るべきデータを記憶しているかチェックし、記憶しているならステップＲ５へ進み、記憶していなければステップＲ６へ進む。
ステップＲ５では、記憶していたデータを下りデータとして送信部３１ｓから無線送信する。送信済みのデータは削除する。
【００３８】
ステップＲ６では、受信した上りデータに含まれる識別情報を情報処理装置５１へ送る。
ステップＲ７では、受信した上りデータに含まれる識別情報と受信時刻を記憶する（その識別情報を既に記憶しているなら受信時刻を更新する）。
【００３９】
ステップＲ８では、記憶している受信時刻のうちで、現在から一定時間（例えば５分間）以上前の受信時刻があるか探索し、あればステップＲ９へ進み、なければステップＲ１１へ進む。
【００４０】
ステップＲ９では、現在から一定時間以上前の受信時刻の識別情報を削除する。
ステップＲ１０では、削除した識別情報を情報処理装置５１へ送る。
【００４１】
ステップＲ１１では、受信部３１ｒで返信データを受信したか判定し、受信したらステップＲ１２へ進み、受信していなければステップＲ２に戻る。
ステップＲ１２では、返信データを受信したこと及びその送信元の無線タグの識別情報を情報処理装置５１へ送る。そして、ステップＲ２に戻る。
【００４２】
図６は、実施例１に係る情報処理装置５１の動作を示すフロー図である。この動作は、情報処理装置５１の電源をオンすることにより起動される。
【００４３】
ステップＰ１では、送受信装置３１〜３３からネットワーク５２を介して無線タグ１〜６の識別情報を受け取ったならステップＰ２へ進み、受け取っていないならステップＰ３へ進む。
ステップＰ２では、無線タグ１〜６の識別情報とそれを送ってきた送受信装置３１〜３３の識別情報を対応させて記憶する。
【００４４】
ステップＰ３では、送受信装置３１〜３３からネットワーク５２を介して削除した無線タグ１〜６の識別情報を受け取ったならステップＰ４へ進み、受け取っていないならステップＰ５へ進む。
ステップＰ４では、削除した無線タグ１〜６の識別情報を送ってきた送受信装置３１〜３３の識別情報に対応して当該無線タグ１〜６の識別情報を削除する。
【００４５】
ここで、ステップＰ１〜Ｐ４により、情報処理装置５１は、無線タグ１〜６を所持している作業者の存否や存在場所（通信エリアＥ１〜Ｅ３）を管理することが出来る。
【００４６】
ステップＰ５では、識別情報を記憶している無線タグのいずれかへ送るべきデータがあるならステップＰ６へ進み、ないならステップＰ７へ進む。
【００４７】
ステップＰ６では、データを送るべき無線タグの識別情報に対応する送受信装置へ該データを送る。
【００４８】
ここで、ステップＰ５，Ｐ６により、情報処理装置５１は、例えば無線タグ１〜６で報知動作を行わせるデータを発行して、作業者を呼び出すことが出来る。また、返信データが無線タグ１〜６から返されなかったら、下りデータを再送信するように送受信装置３１〜３３に指示することが出来る。
【００４９】
ステップＰ７では、返信データを受け取った報告を送受信装置３１〜３３からネットワーク５２を介して受け取ったならステップＰ８へ進み、受け取っていないならステップＰ９へ進む。
ステップＰ８では、返信データに対応するデータを削除する。
【００５０】
ステップＰ９では、送受信装置へ送ったデータであって送ってから一定時間（例えば５分間）経過しても返信データを受け取った報告を受けていないデータを探索し、あればステップＰ１０へ進み、ないならステップＰ１に戻る。
ステップＰ１０では、該当するデータを対応する送受信装置へ再送する。なお、再送回数が一定回数（例えば１０回）に達したら何らかのエラー処理を行う。そして、ステップＰ１に戻る。
【００５１】
実施例１の無線タグ１〜６および管理装置１００によれば、上りデータの無線送信を１回（または所定回数）行う毎に下りデータの無線受信を所定時間行うので、送信部１ｓだけが動作すればよい時間には受信部１ｒは電力を消費せず、受信部１ｒだけが動作すればよい時間には送信部１ｓは電力を消費しないことになり、電力を無駄に消費せず、電池１ｂの寿命を延ばすことが出来る。
また、下りデータが長い場合には、無線タグ１〜６の受信時間を延長して受信することが出来る。
【実施例２】
【００５２】
図１０は、実施例２に係る無線タグ１の動作を示すフロー図である。この動作は、無線タグ１にボタン電池１ｂをセットすることにより起動される。
【００５３】
ステップＳ１では、前回の上りデータの送信開始から所定の送信周期Ｔ２（図７の(ａ)参照）以上が経過するまで待ってからステップＳ２へ進む（起動時は速やかにステップＳ２へ進む）。
ステップＳ２では、図７の（ａ）に示すように、送信部１ｓを動作状態（オン）にする。
ステップＳ３では、図７の（ｂ）に示すように、上りデータとしてＩＤデータ（無線タグ１の識別のためのデータ）を送信部１ｓから電波送信する。
ステップＳ４では、図７の（ａ）に示すように、送信部１ｓを休止状態（オフ）にする。
ステップＳ５では、図７の（ｃ）に示すように、受信部１ｒを動作状態（オン）にする。
ステップＳ６では、受信タイマで経時を開始する。
【００５４】
ステップＳ７では、受信部１ｒで自己宛の下りデータを受信していないならステップＳ８へ進み、自己宛の下りデータを受信したならステップＳ１０へ進む。なお、自己宛の下りデータか否かは、下りデータの先頭にあるヘッダ部に自己の識別情報が含まれているか否かにより判定する。
ステップＳ８では、受信タイマが所定の受信時間Ｔ３（図７の(ｃ)参照）に達していなければステップＳ７に戻り、受信時間Ｔ３に達したらステップＳ９へ進む。
ステップＳ９では、図７の（ｃ）に示すように、受信部１ｒを休止状態（オフ）にする。そして、ステップＳ１に戻る。
【００５５】
ここで、ステップＳ１〜Ｓ９の動作は、送信周期Ｔ２で上りデータを繰り返し発信し、１回の発信毎に受信時間Ｔ３だけ下りデータを受信可能にする基本動作を表している。なお、発信回数をカウントして、数回の発信毎に受信時間Ｔ３だけ下りデータを受信可能にしてもよい。
【００５６】
ステップＳ１０では、自己宛の下りデータを受信完了するまで受信を続ける。
ステップＳ１１では、受信部１ｒを休止状態（オフ）にする。
【００５７】
ここで、ステップＳ１０，Ｓ１１の動作は、所定の受信時間Ｔ３より短い時間で自己宛の下りデータを受信完了すれば受信時間を短縮する（図７または図１１の(ｃ)参照）動作を表している。
【００５８】
ステップＳ１２では、図７または図１１の（ａ）に示すように、送信部１ｓを動作状態（オン）にする。
ステップＳ１３では、図７または図１１の（ｂ）に示すように、上りデータとして返信データ（下りデータを受信したことを確認するためのデータ）を送信部１ｓから電波送信する。
ステップＳ１４では、図７または図１１の（ａ）に示すように、送信部１ｓを休止状態（オフ）にする。
【００５９】
ステップＳ１５では、受信した下りデータが分割データならステップＳ１６へ進み、分割データでないならステップＳ１９へ進む。なお、分割データか否かは、下りデータの先頭にあるヘッダ部に分割情報が含まれているか否かにより判定する。
ステップＳ１６では、受信した分割データが最後の分割データでないならステップＳ１７へ進み、最後の分割データならステップＳ１８へ進む。なお、分割データの最後か否かは、下りデータの先頭にあるヘッダ部に含まれている分割情報により判定する。
ステップＳ１７では、分割データを記憶する。そして、ステップＳ１に戻る。
【００６０】
ステップＳ１８では、これまでに記憶していた分割データから今受信した最後の分割データまでをまとめて一つのデータにする。
【００６１】
ステップＳ１９では、分割データでない下りデータまたは複数の分割データを一つにまとめたデータの内容を判定し、報知指令以外ならステップＳ２０ヘ進み、報知指令ならステップＳ２１ヘ進む。
ステップＳ２０では、報知以外の処理を行う。そして、ステップＳ１に戻る。
【００６２】
ステップＳ２１では、報知部１ｄにより報知を行う。例えばＬＥＤを点灯したり、ブザーを鳴らしたり、ＬＣＤにメッセージを表示したりする。そして、ステップＳ１に戻る。
【００６３】
図１０は、実施例２に係る送受信装置３１の動作を示すフロー図である。この動作は、送受信装置３１の電源をオンすることにより起動される。
【００６４】
ステップＲ２’以外は、実施例１における図５の処理と同じであり、説明を省略する。
ステップＲ２’では、情報処理装置５１から無線タグへ送るべきデータを得て記憶する。このとき、無線タグ１〜６の受信時間Ｔ３内では下りデータを送信しきれない長いデータの場合には、無線タグ１〜６の受信時間Ｔ３内で送信可能なｎ（≧２）個の分割データにデータを分割して記憶する。
なお、ステップＲ５では、記憶していたデータを下りデータとして送信部３１ｓから無線送信するが、データを分割して記憶しているなら１回に１つの分割データを下りデータとして無線送信する。
【００６５】
情報処理装置５１の動作は、実施例１と同じである。
【００６６】
実施例２の無線タグ１〜６および管理装置１００によれば、上りデータの無線送信を１回（または所定回数）行う毎に下りデータの無線受信を所定時間行うので、送信部１ｓだけが動作すればよい時間には受信部１ｒは電力を消費せず、受信部１ｒだけが動作すればよい時間には送信部１ｓは電力を消費しないことになり、電力を無駄に消費せず、電池１ｂの寿命を延ばすことが出来る。
また、下りデータが長い場合には、下りデータを分割して送信することが出来る。
【産業上の利用可能性】
【００６７】
本発明の無線タグ、送受信装置および管理装置は、作業者の出欠を管理したりするのに利用できる。
【図面の簡単な説明】
【００６８】
【図１】実施例１に係る無線タグおよび管理装置を示すブロック図である。
【図２】無線タグの構成を示すブロック図である。
【図３】送受信装置の構成を示すブロック図である。
【図４】実施例１に係る無線タグの動作を示すフロー図である。
【図５】実施例１に係る送受信装置の動作を示すフロー図である。
【図６】実施例１に係る情報処理装置の動作を示すフロー図である。
【図７】実施例１または実施例２に係る無線タグの動作を示すタイムチャートである。
【図８】実施例１に係る無線タグの動作を示すタイムチャートである。
【図９】実施例２に係る無線タグの動作を示すフロー図である。
【図１０】実施例２に係る送受信装置の動作を示すフロー図である。
【図１１】実施例２に係る無線タグの動作を示すタイムチャートである。
【符号の説明】
【００６９】
１〜６                無線タグ
１ｐ                  処理部
１ｓ                  送信部
１ｒ                  受信部
１ｄ                  報知部
３１〜３３            送受信装置
３１ｃ                制御部
３１ｓ                送信部
３１ｒ                受信部
３１ｎ                回線部
５１                  情報処理装置
５２                  ネットワーク
１００                管理装置
Ｅ１，Ｅ２，Ｅ３      通信エリア
【図１】
2005268837.tif 000003
【図２】
2005268837.tif 000004
【図３】
2005268837.tif 000005
【図４】
2005268837.tif 000006
【図５】
2005268837.tif 000007
【図６】
2005268837.tif 000008
【図７】
2005268837.tif 000009
【図８】
2005268837.tif 000010
【図９】
2005268837.tif 000011
【図１０】
2005268837.tif 000012
【図１１】
2005268837.tif 000013